(57)【特許請求の範囲】
【請求項１】
一定の間隔を隔てて略平行に配設された、共に略矩形状に構成した一対の板状の対峙部材と、
該一対の対峙部材に挟まれた空間の周囲を囲繞する板状の側部材と、
前記一対の対峙部材及び側部材により囲まれた内部空間内に収納された複数の気球体と、
前記一対の対峙部材に挟まれた空間の周囲を囲繞するように設けられる前記側部材の角部近傍に設けられる送入口から、前記内部空間内に空気を送入して、前記内部空間内に空気流を生じさせる送風手段とを設けて構成するとともに、
前記側部材の前記送入口近傍に、前記送風手段による旋回気流を維持するための空気排出口を形成し、且つ前記一対の対峙部材の少なくとも一方を透明若しくは半透明の部材から構成し、
前記内部空間に形成される角部のうち、前記送入口が設けられる角部以外の角部に、該角部を形成する両側部材に両端がそれぞれ固定される傾斜板を配設し、
前記送風手段の空気送入方向を、前記送入口と対向する側部材に衝突する方向としたことを特徴とする表示装置。
【請求項２】
前記側部材の長辺／短辺の長さ比を１．０〜１．５／１とした請求項１に記載の表示装置。
【請求項３】
一定の間隔を隔てて略平行に配設された、共に略矩形状の板状部材に構成した一対の板状の対峙部材と、
該一対の対峙部材に挟まれた空間の周囲を囲繞する板状の側部材と、
前記一対の対峙部材及び側部材により囲まれた内部空間内に収納された複数の気球体と、
前記板状部材の長辺部に設けられる側部材の上方略中央位置に設けた送入口から、前記内部空間内に空気を送入して、前記内部空間内に空気流を生じさせる送風手段とを設けて構成するとともに、
前記側部材の前記送入口近傍に、上記送風手段による旋回気流を維持するための空気排出口を形成し、且つ前記一対の対峙部材の少なくとも一方を透明若しくは半透明の部材から構成し、
更に、前記内部空間に形成される４つの角部に、該角部を形成する両側部材に両端がそれぞれ固定される傾斜板を配設し、
前記内部空間に前記送入口と対向するように配設され、前記送入口から送入された空気流を２方向に分流する分流手段を備えたことを特徴とする表示装置。
【請求項４】
前記側部材の長辺／短辺の長さ比を１．６〜３．０／１とした請求項３に記載の表示装置。
【発明の詳細な説明】
【０００１】
【発明の属する技術分野】
本発明は、建造物の窓部，壁部，床部や天井部などに付設され、若しくはこれらと一体的に設けられ、或いは室内に適宜配設される間仕切りなどとして使用され、看る者に美的な感覚や好印象を与える表示装置に関する。
【０００２】
【従来の技術および発明が解決しようとする課題】
従来から、商品の宣伝を目的として、或いは企業イメージを高めるために、例えば建物の窓ガラスに人物や風景などを描いたり、或いは写真やポスター類を貼付したり、或いは窓ガラスの内側にディスプレイ空間を設け、この空間に人形やその他の装飾物を展示したりして装飾を施し、道行く者に美的な感覚を与えたり、この者に好印象を与えて気を引くといったことがなされている。また、店舗内に華やかさを加えて賑わいをもたせるために、室内に各種の装飾物を配置するといったこともなされている。
【０００３】
しかしながら、これらの装飾的な表示手段はいずれも静的なものであり、なるほど看る者に一定の美的感覚や印象を与えることができるが、同種の装飾が溢れる今日では、このような装飾に慣れ親しんだ看者にとっては、ただ漫然とした印象を与えるにすぎず、とても他の装飾と明らかに区別し得るような特異な感覚やより強い印象を与えることはできない。
【０００４】
本発明は、このような実情に鑑みなされたものであり、看者に従来にない特異な美的感覚やより強い印象を与えることのできる表示装置の提供を、その目的とする。
【０００５】
【課題を解決するための手段およびその効果】
上記目的を達成するための本発明は、一定の間隔を隔てて略平行に配設された一対の板状の対峙部材と、該一対の対峙部材に挟まれた空間の周囲を囲繞する板状の側部材と、前記一対の対峙部材及び側部材により囲まれた内部空間内に収納された複数の気球体と、前記側部材に設けた送入口から前記内部空間内に空気を送入して、前記内部空間内に空気流を生じさせる送風手段とを設けて構成するとともに、
前記側部材の前記送入口の設けられる少なくともその近傍に空気排出口を形成し、且つ前記一対の対峙部材の少なくとも一方を透明若しくは半透明の部材から構成したことを特徴とするものである。
【０００６】
前記送入口を通して前記送風手段から前記内部空間内に空気が送入されると、送入された空気は送入口と対向する前記側部材の内面に衝突してその流れ方向がその内面に沿った方向に変換され、その結果、側部材の内周面に沿って流れる旋回気流となる。そして、前記内部空間内に収納された気球体がこの旋回気流に流されて旋回移動し、透明若しくは半透明の部材から構成された対峙部材を透過して、この気球体の旋回移動が観察される。
【０００７】
このように、この発明によれば、複数の気球体が一度に旋回移動するという動的な装飾効果を得ることができ、これにより、看る者に従来にない特異な美的感覚やより強い印象を与えることができる。また、この発明に係る表示装置はその構造が簡単であり、しかもこれを構成する部材が安価であることから、極めて安価なコストにより従来にない動的な装飾効果を得ることができる。
【０００８】
尚、前記内部空間が密閉された空間である場合には、送風手段により送入される空気によって空間内の内圧が高まるため、空気の送入量が次第に少なくなって上記旋回気流が弱まるが、この発明によれば、空気排出口を設けているので内部空間の空気がこの空気排出口から適度に排出され、空間内の内圧が必要以上に高まって上記旋回気流が弱められるのを防止することができ、上記旋回気流を適当な強さに維持することができる。
【０００９】
また、空気排出口を、前記送入口の設けられる少なくともその近傍に設けた場合には、送入口付近の空気が送風手段からの空気流に引き込まれる作用を受けるため、旋回気流を構成する当該空気排出口付近の流れが、当該空気排出口から排出される空気流の影響を受けて減速され難く、これにより上記旋回気流の流速を所望の速さに維持することができるという効果が得られる。
【００１０】
尚、念のために申し添えると、本発明において側部材に設けられる送入口や空気排出口には、側部材に直接的に穴を開けて形成される態様のものの他、側部材による囲いを一部欠落させることにより形成される態様のものも含まれる。このことは、以下の各態様においても同様である。
【００１１】
また、本発明では、前記一対の対峙部材の少なくとも一方を略矩形状の板状部材から構成し、前記側部材に設けられる送入口を、前記一対の対峙部材に挟まれた空間の周囲を囲繞するように設けられる前記側部材の角部近傍に設けるとともに、前記送風手段の空気送入方向を、前記送入口の設けられる角部を形成する他方の側部材に沿った方向としても良い。
【００１２】
この発明によれば、前記送入口から送入された空気流が送入口と対向する側部材の内面に衝突してその流れ方向がその内面に沿った方向に変換され、その結果、側部材の内周面に沿って流れる旋回気流となる。このようにしても、上記と同様の作用効果が得られる。
【００１３】
また、この場合に、前記内部空間に形成される角部のうち、前記送入口が設けられる角部以外の角部に傾斜板を設けると、当該角部において空気の流れ方向が変換される際に、この傾斜板に沿って変換されるため、言い換えれば、この傾斜板に案内されて空気の流れ方向が変換されるため、変換の際のエネルギーロスが少なく、強い流れの旋回気流を容易に生じさせることができる。
【００１４】
更に、前記板状部材の長辺／短辺の長さ比を１．０〜１．５／１とすれば、前記旋回気流を略円形にすることができる。したがって、前記気球体に円運動を行わせることができ、全体的にバランスのとれた動的装飾効果が得られる。
【００１５】
また、前記一対の対峙部材の少なくとも一方を略矩形状の板状部材から構成し、且つその長辺／短辺の長さ比を１．６〜３．０／１とするとともに、前記送入口を、前記板状部材の長辺部に設けられる側部材の略中央位置に設けても良い。
【００１６】
このようにすれば、前記送入口を通して送入された空気は、送入口と対向する前記側部材の内面に衝突してその流れ方向がその内面に沿った２方向（ここでは左右方向という）に変換され、左右２つの旋回気流となり、内部空間内に収納された気球体はそれぞれこの旋回気流によって旋回移動せしめられ、２群の集合を形成する。これにより、上記とは異なった動的装飾効果が得られる。
【００１７】
また、この場合に、前記内部空間に形成される４つの角部に、該角部を形成する両側部材に両端がそれぞれ接続される傾斜板を配設すれば、空気の流れ方向がこの傾斜板に案内されて変換されるため、変換の際のエネルギーロスが少なく、強い流れの旋回気流を容易に生じさせることができる。
【００１８】
更に、前記送入口と対向する分流手段を設けると、前記送入口からの空気流をこの分流手段によって２方向に容易に分流することができ、分流の際のエネルギーロスが少なく、これによってもより強い流れの旋回気流を容易に生じさせることができる。
【００１９】
また、本発明では、前記一対の対峙部材の少なくとも一方を５角形以上の略等多角形状の板状部材から構成し、前記側部材に設けられる送入口を、前記一対の対峙部材に挟まれた空間の周囲を囲繞するように設けられる前記側部材の角部近傍に設けるとともに、前記送風手段の空気送入方向を、前記送入口の設けられる角部を形成する他方の側部材に沿った方向としても良く、前記一対の対峙部材の少なくとも一方を円形若しくは楕円形の板状部材から構成するとともに、前記送風手段の空気送入方向を前記板状部材の外周接線方向に沿った方向としても良い。このようにすれば、より強い流れの旋回気流を容易に生じさせることができる。
【００２０】
また、本発明では、前記送風手段の空気送入方向を変更可能に設けることができる。このようにすれば、全体的に旋回移動する気球体の移動に強弱を与えたり、不規則な移動を行わせることができるので、更に動的な装飾効果を高めることができる。
【００２１】
尚、上述した本発明における板状部材には、文字通りの板材の他、厚さの程度を問わずシート状の部材が含まれる。
【００２２】
【発明の実施の形態】
以下、本発明の具体的な実施形態について添付図面に基づき説明する。
【００２３】
（第１の実施形態）
まず、本発明の第１の実施形態について図１及び図２に基づき説明する。図１は、本発明の第１の実施形態に係る表示装置を示す斜視図であり、図２は、その矢視Ｉ−Ｉ方向の断面図である。
【００２４】
図１に示すように、本例の表示装置１は建造物の窓部分に設けられるもので、建造物の柱７，７間に填め込まれたガラス板２の内側（室内側）であり、且つ同じく柱７，７間に設けられた基台８上に載置された状態で設置されている。この表示装置１は、図１及び図２に示すように、一定の間隔を隔てて平行に配設された一対の対峙部材としての平板３，３と、この平板３，３の下辺，側辺及び上辺にそれぞれ設けられ、その外周を囲繞するように設けられた側部材としての底板５，一対の側板４，４及び天板１７，１７と、前記一対の平板３，３の上辺略中央位置に設けられた送風手段１０と、前記平板３，３並びに底板５，一対の側板４，４及び天板１７，１７により囲まれた内部空間内に収納された気球体たる多数の風船２１とを備えている。尚、この風船２１の形状，色や数は特に限定されるものではない。
【００２５】
前記平板３，３を囲繞する側部材としての底板５，一対の側板４，４及び天板１７，１７は、その囲いが平板３，３の上辺中央部で欠落するように設けられており、即ち天板１７，１７が所定間隔を開けてそれぞれ前記平板３，３の上辺角部に配設されており、この欠落部に送入口１３及び２つの空気排出口１４，１４が形成されている。言い換えれば、平板３，３の上辺を１つの天板１７で囲い、この天板１７の中央部に送入口１３及び空気排出口１４，１４を形成したのと同等に構成されている。また、前記空気排出口１４，１４には、周囲が天板１７，固定板１６及び平板３，３に固定された網状体１５，１５がそれぞれ設けられており、前記内部空間内に収納された風船２１が空気排出口１４，１４から排出されるのを、この網状体１５，１５により防止することができるようになっている。
【００２６】
前記送風手段１０は、前記送入口１３の上方に設けられるもので、前記平板３，３の上辺中央部に固設されるブラケット１２と、このブラケット１２に支持され、前記送入口１３から前記内部空間内に空気を送入する送風機１１とからなる。この送風機１１は内蔵された駆動手段により駆動されて、前記ブラケット１２の支持部を支点として矢示Ａ方向に揺動するようになっており、前記内部空間内に送入される空気の送入方向を、これに応じて変更することができるようになっている。また、この送風機１１は時間当たりの送風量を任意に変更できるようになっている。
【００２７】
前記平板３，３は共に矩形状をした板材からなり、少なくとも一方の平板３が透明若しくは半透明の部材から構成されている。即ち、建造物の外からこの表示装置１の装飾効果が確認されるようにする場合には、少なくとも、ガラス板２側の平板３が透明若しくは半透明の部材から構成され、室内で前記装飾効果が確認されるようにする場合には、少なくとも室内側（ガラス板２から遠い方）の平板３が透明若しくは半透明の部材から構成され、部屋の内外から前記装飾効果が確認されるようにする場合には、双方の平板３が透明若しくは半透明の部材から構成される。また、どちらか一方の平板３を不透明な部材で構成する場合には、これを対峙面が反射面となった鏡状の部材から構成しても良い。
【００２８】
また、本例では、前記室内側の平板３に２つの空気排出口１８，１８を形成している。この空気排出口１８，１８は、少なくとも平板３の外周縁を残すように形成されている。また、この空気排出口１８，１８には、上述した空気排出口１４，１４におけると同様に、それぞれ網状体１９，１９が配設されており、これにより、前記内部空間内に収納された風船２１が空気排出口１８，１８から排出されるのが防止されるようになっている。
【００２９】
また、この室内側の平板３には、ヒンジ２０ａを介して矢示方向に揺動自在となった揺動板２０が取り付けられており、この揺動板２０により、平板３に形成された開口部３ａが開閉されるようになっている。更に、この室内側の平板３の下方には、それぞれ矢示方向に移動可能となった３つの引き戸６が設けられており、この引き戸６を矢示方向に移動させることで、同部の開口部を開閉することができるようになっている。
【００３０】
また、図２に示すように、前記平板３の４つの角部に対応した位置に、傾斜板２２が設けられている。この傾斜板２２はその両端が前記側部材（底板５，一対の側板４，４及び天板１７，１７）の内面にそれぞれ固定され、これら側部材と略４５゜で交差するように設けられている。尚、この傾斜板２２は、図示するような平板状のものに限らず、例えば、前記角部側に湾曲した円弧状のものであっても良い。また、前記底板５の前記送風機１１と対向する位置に、分流手段２３が設けられている。この分流手段２３は外形が三角柱形状をした部材からなるものであり、外周１面が下向きになり、他の２面が図２に示す如く傾斜するように配設されている。
【００３１】
また、前記側板４，４の相互に対向する面にはそれぞれ照明装置２５，２５が設けられており、この照明装置２５，２５により前記内部空間内が照明されるようになっている。また、前記底板５には、前記傾斜板２２及び分流手段２３が設けられるその間に静電気除去手段２４，２４が設けられている。この静電気除去手段２４，２４は、導電性繊維からなる複数の立毛を備えており、この立毛が適宜接地された構造となっている。
【００３２】
次に、以上の構成を備えた本例の表示装置１における装飾効果について説明する。尚、前記送風機１１は図２に示した位置にあるものとする。
【００３３】
前記送入口１３を通して前記送風機１１から前記内部空間内に空気が送入されると、この送風機１１から前記分流手段２３に向けた空気流（矢示ａ）を生じ、ついで、この矢示ａ方向の空気流は分流手段２３により２つの空気流（矢示ａ１及びｂ１）に分流される。分岐した矢示ａ１方向の空気流は、ついで２つの傾斜板２２，２２により順次矢示ａ２方向，矢示ａ３方向の空気流に変換されて、矢示ａ４方向の空気流となった後、再び矢示ａ方向の空気流に合流する矢示ａ５方向の空気流となり、矢示ａ方向〜ａ５方向に向かう旋回気流となる。一方、矢示ｂ１方向の分岐流も同様に、２つの傾斜板２２，２２により順次矢示ｂ２方向，矢示ｂ３方向の空気流に変換されて、矢示ｂ４方向の空気流となった後、再び矢示ａ方向の空気流に合流する矢示ｂ５方向の空気流となり、矢示ａ方向〜矢示ｂ５方向に向かう旋回気流となる。
【００３４】
前記送入口１３から連続的に前記内部空間内に空気を送入すると、この内部空間が密閉された空間である場合には、送入される空気によって空間内の内圧が高まるため、空気の送入量が次第に少なくなって旋回気流が弱まるが、この装飾，表示装置１によれば、空気排出口１４，１４，１８，１８を設けているので、内部空間内の空気がこの空気排出口１４，１４，１８，１８から適度に排出され、空間内の内圧が必要以上に高まって上記旋回気流が弱められるのを防止することができ、上記旋回気流を適当な強さに維持することができる。
【００３５】
斯くして、このようにして生成された２つの旋回気流により、前記内部空間内に収納された複数の風船２１が、図２に示すように、左右２つの塊となり、それぞれの旋回気流に沿って矢示方向に旋回移動し、透明若しくは半透明の部材から構成された平板３を透過して、この風船２１の旋回移動が観察される。このように、この表示装置１によれば、複数の風船２１が一度に旋回移動するという動的な装飾効果を得ることができ、これにより、看る者に従来にない特異な美的感覚やより強い印象を与えることができる。また、この表示装置１はその構造が簡単であり、しかもこれを構成する部材が安価であることから、極めて安価なコストにより従来にない動的な装飾効果を得ることができる。
【００３６】
尚、上述のように風船２１を旋回移動させるに当たり、これらが円運動を行うように旋回させることができるが、そのためには、前記平板３，３の短辺と長辺との比が１：１．６〜３．０であるのが好ましい。このようにすれば、前記旋回気流を略円形にすることができ、その結果、前記一群の風船２１に略円運動を行わせることができる。また、前記一対の平板３，３の設けられる間隔を、最も大きい風船２１の直径の１．２倍乃至１．８倍程度とすることで、前記一群の風船２１を一枚板のように集合させて規則的に旋回させることができる。一方、前記間隔を最も大きい風船２１の直径の２．２倍乃至３倍程度にすると、前記一群の風船２１は全体として旋回移動を行いつつ、個々には不規則な運動を行い、結果上記とは異なった装飾感や美感が表現される。
【００３７】
また、本例では、空気排出口１４，１４を前記送入口１３の両隣にこれと隣接するように設けているので、送入口１３付近の空気が送風機１１からの矢示ａ方向の空気流に引き込まれる作用を受ける。このため、旋回気流を構成する矢示ａ４方向及び矢示ａ５方向の流速、並びに矢示ｂ４方向及び矢示ｂ５方向の流速が、空気排出口１４，１４から排出される空気流の影響を受けて減速され難く、これにより上記旋回気流の流速を所望の速さに維持することができるという効果が得られる。また、前記平板３にその外周縁を残すように、言い換えれば、上記旋回気流の旋回中心付近に空気排出口１８，１８を形成しているので、このような構成によっても、上記旋回気流の流速を所望の速さに維持することができるという効果が得られる。即ち、上記旋回気流の流速の最も速いところは外寄りの部分であり、中心部分は比較的流速が遅いため、この中心部を開口しても旋回気流の流速はその影響を受け難いのである。尚、送風機１１からの送気速度をあまりに強くすると、空気排出口１４，１４，１８，１８から排出される空気流の流速が速くなって、風船２１が同部に吸い付くという不都合を生じるのことがある。したがって、上記空気排出口１４，１４，１８，１８の開口面積は、このような不都合を生じないような開口面積にする必要がある。
【００３８】
また、本例では、照明手段２５により前記内部空間内を照明するようにしているので、旋回移動する風船２１がこの照明によって次々と照らし出され、動的な装飾効果が高められるという効果が得られる。尚、この照明手段２５にブラックライトを用い、風船２１に蛍光色のものを用いると、風船が浮かび上がって映し出され、上記とは異なった装飾効果が得られる。更には、ネオン・フラッシュを音楽に合わせて点滅させるようにすることもでき、このようにすれば、また異なった装飾効果が得られる。
【００３９】
また、上述したように平板３を鏡状のものから構成しても良く、このようにすれば旋回移動する風船２１が鏡面に映し出されて賑わいが増し、この点でも動的な装飾効果を高めることができる。更には、この鏡状の平板３に波状（波板状）や他の形状の凸凹を形成し、見る位置によって反射像が異なるようにしても良い。尚、これらと同様の効果を得られる他の例として、透明な平板３の外側に鏡状の部材を配置したものも考えられる。
【００４０】
また、本例では、送風機１１を矢示Ａ方向に揺動可能に設けている。この送風機１１を矢示Ａ方向に揺動させると、２つの旋回気流のうち送風機１１の向けられた側の旋回気流の流速が増して風船２１が激しく旋回移動する一方、他方の旋回気流の流速は逆に弱まって風船２１はゆっくりと旋回移動し、風船２１の旋回移動に変化を付けることができる。したがって、このようにすれば更に動的な装飾効果を高めることができる。
【００４１】
また、旋回移動する風船２１は相互に摩擦接触して静電気を生じ易く、これにより互いが吸引されて動きが鈍くなるという問題を生じることがあるが、本例では、空間内に静電気除去手段２４を設けているので、風船２１が移動中にこの静電気除去手段２４と接触することにより、帯電された静電気を除去することができ、このような問題を生じるのを防止することができる。したがって、長時間にわたって風船２１を勢い良く旋回移動させることができる。尚、この静電気除去手段２４は上述した構成の他、加湿器などから構成することもできる。
【００４２】
また、このように設けられた本例の表示装置１によると、上述した如く、送風機１１により送入される空気によって前記内部空間内の内圧が上昇しているので、揺動板２０を開くことにより、内部の空気が開口部３ａから排出されるとともに、同部から風船２１も排出される。したがって、必要に応じてこの揺動板２０を開くことにより、内部の風船２１を容易に取り出すことができる。これにより、収納された風船２１を形状や色の異なるものに迅速に交換することができ、本装置１から得られる装飾効果を瞬時に異なるものに変更することができる。この意味で、この揺動板２１は上記旋回気流の流速の速い部分に設けるのが好ましい。尚、言うまでもなく、揺動板２０は閉じた状態でこれを止めることができるようになっている。また、収納した風船２１相互の摩擦接触などにより、これが破裂する場合があるが、この場合には、平板３の下部に設けた引き戸６を開くことにより、容易にこれを除去することができる。
【００４３】
以上、本発明の第１の実施形態に係る表示装置１について説明したが、上述した傾斜板２２や分流手段２３は適当な流速の旋回気流を得られるのであれば、特にこれを設けるには及ばない。即ち、これら傾斜板２２及び分流手段２３を設けると、より流速の速い旋回気流を生成することができるが、これを用いなくても、若干のエネルギー損失を伴うものの、送入口１３から送入された空気は順次底板５，側板４，４及び天板１７，１７に衝突して、上述した旋回気流を形成する。したがって、送入される空気の流速が十分に速い場合には、傾斜板２２や分流手段２３を特に設ける必要はなく、或いは必要に応じてこれらを適宜選択的に配設しても良い。
【００４４】
また、本例では、平板３，３の上辺略中央部に１つの送風手段１１を設けたが、設けられる送風手段１１の数及び位置はこれに限られるものではなく、例えば、図３に示すように、平板３の１つの上辺角部にこれを配設したり、図４に示すように、平板３の上辺両角部にそれぞれこれを配設したり、或いは、特に図示はしないが、一方の側板４の下端部にこれを配設したり、双方の側板４の下端部にこれらが相互に対向するようにそれぞれ配設しても良い。
【００４５】
図３に示した表示装置１’は、図示するように、図２に示した表示装置１の略右半分をなすように構成されたものであり、したがって、同一の構成部分については同一の符号を付してその詳しい説明を省略する。尚、この表示装置１’において、前記平板３，３の短辺と長辺との比を１：１．０〜１．５に設定すれば、前記旋回気流を略円形にすることができ、その結果、前記一群の風船２１に略円運動を行わせることができる。また、送風機１１を矢示Ａ方向に揺動させると、前記一群の風船２１が攪拌されて、これが激しく不規則に移動する。したがって、送風機１１を適宜駆動することにより規則的な移動や不規則な移動を任意に行わせることができ、変化に富んだ装飾効果を得ることができる。
【００４６】
また、図４に示した表示装置１’’は、上述の如く、図２に示した表示装置１の送風手段１０を、平板３の上辺両角部にそれぞれ配設し、且つその中央部に天板１７を設けるとともに、前記側板４，４の代わりに柱７，７の側面７ａ，７ａを利用し、底板５の代わりに基台上面８ａを利用したものである。このように、本発明に係る表示装置１，１’，１’’は建造物の構造物、例えば窓ガラス，壁，床や天井などの構造物と一体的に構成することもできる。尚、この表示装置１’’についても、上記装飾，表示装置１と同一の構成部分については同一の符号を付してその詳しい説明は省略する。
【００４７】
また、本例では、一対の対峙部材として平板３，３を用いたが、このような板材に限るものではなく、この他に例えばシート材を用いることができる。この場合、所定形状を形成，保持させるためにシート材の外周に骨組みを設けるのが好ましい。また、送風手段として、翼体を備えた送風機１１を例示したがこれに限るものではなく、コンプレッサ，送気配管，切換弁や噴出ノズルなどからなり、圧縮空気を前記内部空間に送り込むような機構のものを採用しても良い。
【００４８】
（第２の実施形態）
次に、本発明の第２の実施形態について図５に基づき説明する。この図５に示すように、本例の装飾，表示装置３０は、上述した図１及び図２に示した表示装置１と略同じ構成を備えるものであり、したがって同一の構成部分については同一の符号を付してその詳しい説明を省略する。
【００４９】
図５に示すように、この表示装置３０は、上記表示装置１の側板４，４を上方に延出させ、送風手段１０の設けられる平板３，３の上部空間をこの側板４，４及び平板３１，３２により囲み、更に底板５の下面にキャスター３４を設けたものとして構成されている。また、前記平板３２には外から内へ、或いは内から外へ空気が出入りすることのできる開口部３３が形成されている。
【００５０】
言うまでもなく、この表示装置３０によっても、上述した表示装置１におけると同様の作用，効果が得られるが、この他に、平板３，３、底板５、側板４，４や平板３１，３２によって形成される筐体内に送風手段１０を収納した構成としているので、建造物の室内外にこれを設置することができ、室内に設置する場合にはこれを間仕切りやカウンターとして用いることができる。また、キャスター３４を設けていることから、容易にこれを搬送することができるが、固定，設置する場合にはこのキャスター３２を特に設けるには及ばない。
【００５１】
尚、この実施形態についても、第１の実施形態におけると同様の変形態様を採用することができる。
【図面の簡単な説明】
【図１】本発明の第１の実施形態に係る装飾，表示装置を示す斜視図である。
【図２】図１における矢示Ｉ−Ｉ方向の断面図である。
【図３】第１の実施形態の変形例に係る装飾，表示装置を示す断面図である。
【図４】第１の実施形態の他の変形例に係る装飾，表示装置を示す断面図である。
【図５】本発明の第２の実施形態に係る装飾，表示装置を示す断面図である。
【符号の説明】
１    装飾，表示装置
２    ガラス板
３    平板
４    側板
５    底板
１０  送風手段
１１  送風機
１３  送入口
１４  空気排出口
１７  天板
１８  空気排出口
２１  風船
２２  傾斜板
２３  分流手段
【図１】
0004535524.tif 000002
【図２】
0004535524.tif 000003
【図３】
0004535524.tif 000004
【図４】
0004535524.tif 000005
【図５】
0004535524.tif 000006